(57)【要約】【課題】  設置コストを低減することができるスライド式シャッタの補強構造を提供する。【解決手段】  スライド式シャッタの補強構造１は、建物開口部３の両側縁に設けられた一対のガイドレール２１に案内されて、前記建物開口部３を開閉可能なシャッタ板２０を備えるスライド式シャッタの補強構造１であって、可撓性を有し、一端が前記シャッタ板２０の下端に固定されるベルト体５と、前記スライド式シャッタ２の上部に設けられ、前記ベルト体５の他端側を巻き取り及び引き出し可能な巻き取り部６と、を備え、前記ベルト体５は、前記スライド式シャッタ２を閉じた状態のときに、前記シャッタ板２０に当接又は近接して保持されるとともに、前記巻き取り部６は、前記スライド式シャッタ２を閉じた状態のときに、前記ベルト体５の上端を固定した状態に保持する。【選択図】図３
2014190138.tif 000002
【特許請求の範囲】
【請求項１】
建物開口部の両側縁に設けられた一対のガイドレールに案内されて、前記建物開口部を開閉可能なシャッタ板を備えるスライド式シャッタの補強構造であって、
可撓性を有し、一端が前記シャッタ板の下端に固定されるベルト体と、
前記スライド式シャッタの上部に設けられ、前記ベルト体の他端側を巻き取り及び引き出し可能な巻き取り部と、を備え、
前記ベルト体は、前記スライド式シャッタを閉じた状態のときに、前記シャッタ板に当接又は近接して保持されるとともに、
前記巻き取り部は、前記スライド式シャッタを閉じた状態のときに、前記ベルト体の上端を固定した状態に保持することを特徴とするスライド式シャッタの補強構造。
【請求項２】
前記シャッタ板を巻き取るシャフトが、前記巻き取り部を兼ねることを特徴とする請求項１に記載のスライド式シャッタの補強構造。
【請求項３】
建物開口部の両側縁に設けられた一対のガイドレールに案内されて、前記建物開口部を開閉可能なシャッタ板を備えるスライド式シャッタの補強構造であって、
可撓性を有し、一端が前記シャッタ板の下端に固定されるベルト体と、
前記スライド式シャッタの上部に設けられ、前記ベルト体の他端側を巻き取り及び引き出し可能な巻き取り部と、を備え、
前記ベルト体は、前記スライド式シャッタを閉じた状態のときに、前記シャッタ板に当接又は近接して保持されるとともに、
前記巻き取り部は、前記ベルト体が所定以上の速度で引き出された場合に、前記ベルト体の上端を固定することを特徴とするスライド式シャッタの補強構造。
【請求項４】
前記巻き取り部は、ベルト体を巻き取る軸部と、
前記軸部をベルト体の巻き取り方向に付勢する付勢部と、
前記ベルト体が所定以上の速度で引き出された場合に、前記ベルト体の引き出し方向への移動を規制する規制部と、を備えることを特徴とする請求項３に記載のスライド式シャッタの補強構造。
【請求項５】
前記スライド式シャッタを閉じた状態のときに、前記シャッタ板の下端を地面に固定する固定部を備えることを特徴とする請求項１から請求項４のいずれかに記載のスライド式シャッタの補強構造。
【請求項６】
前記ベルト体は、前記シャッタ板の屋内側及び屋外側にそれぞれ設けられることを特徴とする請求項１から請求項５のいずれかに記載のスライド式シャッタの補強構造。
【請求項７】
前記ベルト体は、前記シャッタ板の幅方向の中央に設けられ、前記スライド式シャッタを閉じた状態のときに鉛直方向を向くように設けられることを特徴とする請求項１から請求項６のいずれかに記載のスライド式シャッタの補強構造。
【請求項８】
前記ベルト体は前記シャッタ板の屋内側及び屋外側のいずれか一方又は双方にそれぞれ複数本設けられ、前記スライド式シャッタを閉じた状態のときに鉛直方向を向くように設けられることを特徴とする請求項１から請求項６のいずれかに記載のスライド式シャッタの補強構造。
【発明の詳細な説明】
【技術分野】
【０００１】
本発明は、建物開口部に設置されるスライド式シャッタの補強構造に関する。
【背景技術】
【０００２】
建物開口部を開閉するスライド式シャッタは、上下に連結される複数のスラット板からなるシャッタ板を、建物開口部の両側縁に設置されたガイドレールに案内させて、建物開口部を開閉する構成である（例えば特許文献１）。このようなスライド式シャッタは、強風に煽られるとスラット板がバタついてガイドレールと衝突し騒音を発生し易く、さらにはスラット板が風圧に負けて破損する虞がある。
【０００３】
そこで、上述の問題を解消するためにスライド式シャッタを補強する構造が種々提案されている。このようなスライド式シャッタを補強する構造においては、スライド式シャッタを開放したときにシャッタ板を補強するための部材が、建物開口部から出入りする人などの邪魔にならないように、スライド式シャッタから補強部材を取り外せる構成とするか（例えば特許文献２）、又は補強部材を建物開口部の上端などの出入りの邪魔にならない位置に移動させる構成とする必要がある。
【０００４】
特に大型のスライド式シャッタを補強する場合においては、より大きな風圧に耐える必要があるため、シャッタ補強部材自体も大型化する必要があり、スライド式シャッタを開閉するたびに、スライド式シャッタから大型化した補強部材を取り付け、又は、取り外しすることは困難であるので、スライド式シャッタの開閉に伴って、補強部材を建物開口部の上端などの出入りの邪魔にならない位置に移動させる構成のスライド式シャッタの補強構造が用いられる。
【０００５】
このようなスライド式シャッタの補強構造１００として、本願の出願人は、図１４に示すように、左右一対のガイドレール１０１、１０２のうち一方のガイドレール１０１の上端に一端が回転自在に取り付けられるとともに、他端が開口した中空の長手形状の補強基材１０３と、補強基材１０３の内部に挿入されて伸出及び縮退可能に構成される長さ調整部材１０４と、長さ調整部材の先端に回転可能に連結され、他方のガイドレール１０２に案内されて上下にスライドするシャッタ板１０６の下端に着脱可能な連結部材１０５と、を備えるスライド式シャッタの補強構造１００を提案している（特許文献３）。
【０００６】
この構成によると、シャッタ板１０６を引き降ろしてスライド式シャッタ１０７を閉鎖すると、補強基材１０３の一端側は一方のガイドレール１０１の上端に取り付けられた状態のまま、連結部材１０５はシャッタ板１０６の降下に連動してガイドレール１０２に沿って下方にスライドし、補強基材１０３及び長さ調整部材１０４は、一方のガイドレール１０１の上端から他方のガイドレール１０２の下端に斜め向きに架け渡されるので両ガイドレール１０１，１０２の間に配置されているシャッタ板１０６を補強することができる。
【０００７】
また、シャッタ板１０６を引き上げてスライド式シャッタ１０７を開放すると、シャッタ板１０６の上昇に連動して連結部材１０５もガイドレール１０２に沿って上方にスライドする。したがって、補強基材１０３及び長さ調整部材１０４は、両ガイドレール１０１，１０２の上端に架け渡されるので建物の開口部を塞ぐことなく開放することができる。このようにスライド式シャッタ１０７を補強する補強基材１０３及び長さ調整部材１０４をシャッタ板１０６の昇降に連動させることによって、スライド式シャッタ１０７の閉鎖時に確実にシャッタ板１０６を補強でき、スライド式シャッタ１０７の開放時には、出入りの邪魔にならない位置に補強基材１０３及び長さ調整部材１０４を配置することができる。
【先行技術文献】
【特許文献】
【０００８】
【特許文献１】特開２００４−１７６２６３号公報
【特許文献２】特許第３９１２７９４号公報
【特許文献３】特開２００９−１９７４８２号公報
【発明の概要】
【発明が解決しようとする課題】
【０００９】
しかし、上述のスライド式シャッタの補強構造１００は、長尺の補強基材１０３及び長さ調整部材１０４によってシャッタ板１０６を補強するために、補強基材１０３及び長さ調整部材１０４が大掛かりなものとなり、スライド式シャッタ１０７にこの補強構造を設置するための設置工事も大掛かりなものとなるので、設置コストが大きくなる問題がある。
【００１０】
そこで、本発明は設置コストを低減することができるスライド式シャッタの補強構造を提供することを目的とする。
【課題を解決するための手段】
【００１１】
請求項１に記載のスライド式シャッタの補強構造は、建物開口部の両側縁に設けられた一対のガイドレールに案内されて、前記建物開口部を開閉可能なシャッタ板を備えるスライド式シャッタの補強構造であって、可撓性を有し、一端が前記シャッタ板の下端に固定されるベルト体と、前記スライド式シャッタの上部に設けられ、前記ベルト体の他端側を巻き取り及び引き出し可能な巻き取り部と、を備え、前記ベルト体は、前記スライド式シャッタを閉じた状態のときに、前記シャッタ板に当接又は近接して保持されるとともに、前記巻き取り部は、前記スライド式シャッタを閉じた状態のときに、前記ベルト体の上端を固定した状態に保持することを特徴としている。
【００１２】
請求項２に記載のスライド式シャッタの補強構造は、前記シャッタ板を巻き取るシャフトが、前記巻き取り部を兼ねることを特徴としている。
【００１３】
請求項３に記載のスライド式シャッタの補強構造は、建物開口部の両側縁に設けられた一対のガイドレールに案内されて、前記建物開口部を開閉可能なシャッタ板を備えるスライド式シャッタの補強構造であって、可撓性を有し、一端が前記シャッタ板の下端に固定されるベルト体と、前記スライド式シャッタの上部に設けられ、前記ベルト体の他端側を巻き取り及び引き出し可能な巻き取り部と、を備え、前記ベルト体は、前記スライド式シャッタを閉じた状態のときに、前記シャッタ板に当接又は近接して保持されるとともに、前記巻き取り部は、前記ベルト体が所定以上の速度で引き出された場合に、前記ベルト体の上端を固定することを特徴としている。
【００１４】
なおここで「所定以上の速度」とは、スライド式シャッタを閉鎖する場合にシャッタ板を引き降ろす速度よりも速い速度をいう。
【００１５】
請求項４に記載のスライド式シャッタの補強構造は、前記巻き取り部は、ベルト体を巻き取る軸部と、前記軸部をベルト体の巻き取り方向に付勢する付勢部と、前記ベルト体が所定以上の速度で引き出された場合に、前記ベルト体の引き出し方向への移動を規制する規制部と、を備えることを特徴としている。
【００１６】
請求項５に記載のスライド式シャッタの補強構造は、前記スライド式シャッタを閉じた状態のときに、前記シャッタ板の下端を地面に固定する固定部を備えることを特徴としている。
【００１７】
請求項６に記載のスライド式シャッタの補強構造は、前記ベルト体は、前記シャッタ板の屋内側及び屋外側にそれぞれ設けられることを特徴としている。
【００１８】
請求項７に記載のスライド式シャッタの補強構造は、前記ベルト体は、前記シャッタ板の幅方向の中央に設けられ、前記スライド式シャッタを閉じた状態のときに鉛直方向を向くように設けられることを特徴としている。
【００１９】
請求項８に記載のスライド式シャッタの補強構造は、前記ベルト体は前記シャッタ板の屋内側及び屋外側のいずれか一方又は双方にそれぞれ複数本設けられ、前記スライド式シャッタを閉じた状態のときに鉛直方向を向くように設けられることを特徴としている。
【発明の効果】
【００２０】
請求項１に記載のスライド式シャッタの補強構造によると、可撓性を有するベルト体は、スライド式シャッタを閉じた状態のときに、シャッタ板に当接又は近接して保持される。そして、このベルト体は一端がシャッタ板の下端に固定されており、他端が巻き取り部によりスライド式シャッタ上部に固定されている。したがって、ベルト体は、スライド式シャッタを閉じた状態のときに、スライド式シャッタのシャッタ板に沿って鉛直方向に張り渡されるので、スライド式シャッタに風などが当ってシャッタ板が撓んでも、ベルト体によってシャッタ板がガイドレールから外れる事を抑制することができる。また、スライド式シャッタを開放したときには、ベルト体を巻き取り部が巻き取ることで、簡単に小さなスペースでベルト体を収納することができる。このように可撓性を有するベルト体を用いることで、スライド式シャッタの補強構造の重量を低減させることができ、スライド式シャッタの補強構造の設置を簡易化することができる。
【００２１】
請求項２に記載のスライド式シャッタの補強構造によると、スライド式シャッタに元から備わっているシャッタ板を巻き取るシャフトが巻き取り部を兼ねている。すなわち、シャフトがシャッタ板とともにベルト体を巻き取るので、スライド式シャッタに、別途、巻き取り部を取付ける場合に比べて、部品点数を減らすことができ、スライド式シャッタの補強構造を低コスト化することができる。
【００２２】
請求項３に記載のスライド式シャッタの補強構造によると、巻き取り部が、ベルト体が所定以上の速度で引き出された場合に、ベルト体の上端を固定するので、所定速度より低い速度で、スライド式シャッタのシャッタ板を閉じるときには、シャッタ板の下端に固定されているベルト体がシャッタ板に連動して巻き取り部から引き出される。一方、スライド式シャッタを閉じた状態のときに、風などでシャッタ板が撓み、ベルト体に衝撃が加わっるような場合には、所定速度以上の速度でベルト板が引き出されることになるので、ベルト体の上端が固定され、シャッタ板がこれ以上撓むことを抑制できる。
【００２３】
請求項４に記載のスライド式シャッタの補強構造によると、付勢部によって軸部がベルト体の巻き取り方向に付勢されているので、スライド式シャッタを閉じたときに、ベルト体は弛むことなく、スライド式シャッタのシャッタ板に沿って鉛直方向に張り渡されることとなる。したがって、風などでシャッタ板が撓んだ場合には、シャッタ板にベルト体が当接し、シャッタ板がこれ以上撓むことを抑制して、シャッタ板がガイドレールから外れることを防ぐことができる。
【００２４】
請求項５に記載のスライド式シャッタの補強構造によると、スライド式シャッタを閉じた状態のときに、シャッタ板の下端を地面に固定する固定部を備えるので、ベルト体はシャッタ板の下端を介して地面に固定されることになり、確実にスライド式シャッタを補強することができる。
【００２５】
請求項６に記載のスライド式シャッタの補強構造によると、ベルト体が、シャッタ板の屋内側及び屋外側にそれぞれ設けられるので、シャッタ板に屋外側から屋内側に向かって風圧が加わる場合にも、屋内側から屋外側に向かって負圧が加わる場合にも、確実にスライド式シャッタのシャッタ板を補強することができる。
【００２６】
請求項７に記載のスライド式シャッタの補強構造によると、ベルト体がシャッタ板の幅方向の中央に設けられているので、より効果的にスライド式シャッタのシャッタ板を補強することができる。
【００２７】
請求項８に記載のスライド式シャッタの補強構造は、ベルト体がシャッタ板の屋内側及び屋外側のいずれか一方又は双方にそれぞれ複数本設けられているので、建物開口部が幅広の場合にも確実にスライド式シャッタのシャッタ板を補強することができる。
【図面の簡単な説明】
【００２８】
【図１】第１の実施形態のスライド式シャッタの補強構造の外観構成を示す正面図。
【図２】（Ａ）は固定部によるシャッタ板の下端の地面への固定を解除した状態を示す省略拡大図、（Ｂ）は固定部によってシャッタ板の下端を地面へ固定した状態を示す省略拡大図。
【図３】図１のＡ−Ａ線断面図。
【図４】図３の断面図における下端部分を拡大した図。
【図５】図３の断面図の状態からシャフトを回転させてシャッタ板を引き上げる途中の状態を示す断面図。
【図６】（Ａ）は、図３の収納ケース部分を拡大した省略断面図、（Ｂ）は、図４の収納ケース部分を拡大した省略断面図。
【図７】スライド式シャッタの補強部材を取付けたスライド式シャッタを開放した状態を示す正面図。
【図８】第１の実施形態のスライド式シャッタの補強構造の変形例として、スライド式シャッタの屋外側又は屋内側にそれぞれ２本のベルト体を設けた状態のスライド式シャッタの補強構造を示す正面図。
【図９】第２の実施形態のスライド式シャッタの補強構造の全体構成を説明する断面図。
【図１０】図９の断面図における収納ケース部分を拡大した省略断面図。
【図１１】（Ａ）は、巻き取り部にベルト体が巻き取られた状態を示す巻き取り部を拡大した図、（Ｂ）は、巻き取り部からベルト体が引き出された状態を示す巻き取り部を拡大した図。
【図１２】スライド式シャッタを閉鎖する場合のように、スライド式シャッタのシャッタ板を引き降ろす最中の巻き取り部の状態を示す拡大図。
【図１３】ベルト体が所定速度以上の速さで引き出された場合に巻き取り部がベルト体をロックした状態を示す拡大図。
【図１４】従来のスライド式シャッタの補強構造の一例を示す図。
【発明を実施するための形態】
【００２９】
〔第１の実施形態〕
以下、本発明のスライド式シャッタの補強構造１の第１の実施形態について図１から図８を参照しつつ説明する。このスライド式シャッタの補強構造１によって補強するスライド式シャッタ２は、図１及び図３に示すように、建物の出入口や窓などの建物開口部３に設けられる鋼製の巻上げ戸であって、複数の細長い鉄板状のスラット板２０ａをよろい戸状につづったシャッタ板２０と、建物開口部３の両側縁に互いに開口が向かい合うようにそれぞれ設けられた断面Ｕ字状の枠体であって、シャッタ板２０の側部がそれぞれスライド自在に挿入されて、シャッタ板２０を上下に案内するガイドレール２１と、を備えている。
【００３０】
建物開口部３の上部には、このシャッタ板２０を引き上げ及び引き下ろすことができるシャフト２２が収納ケース２３に収容されており、シャフト２２を開閉モータ２４により正回転させることにより、このシャフト２２にシャッタ板２０が巻き付いてシャッタ板２０を建物開口部３から引き上げることができる。また、逆回転させることにより、このシャフト２２に巻き付いているシャッタ板２０を下降させて建物開口部３を閉塞することができる。収納ケース２３の下端には、水平に架設される支持金具２９と、支持金具２９に固定される見切材としてマグサ３１が設けられており、マグサ３１の内側にはローラ３２が設けられている。
【００３１】
また、スライド式シャッタ２のシャッタ板２０の下端には、図１及び図２に示すように、シャッタ板２０を地面Ｇに固定する固定部４が設けられている。固定部４は、操作者が回転させることができる操作レバー４０と、この操作レバー４０の回転動作によって回転し地面Ｇに形成されている係合孔４１に係合する碇形の係合体４２とを有する。スライド式シャッタ２を設置する地面Ｇに設けられた係合孔４１は、碇型の係合体４２の一部を挿入し固定することができる形状である。スライド式シャッタ２を閉鎖した際に、図２（Ａ）に示すように固定部４が地面Ｇに固定されていない状態から、図２（Ｂ）に示すように操作レバー４０を操作して固定部４の係合体４２をスライド式シャッタ２を設置した地面Ｇに設けられた係合孔４１に挿入して固定する。これにより、シャッタ板２０は固定部４を介して地面Ｇに固定されることになる。なお、本実施形態において、固定部４は操作レバー４０を操作することにより地面Ｇに固定される手動の構成であるが、本発明の「固定部」はこれに限定されるものではなく、電動で地面Ｇに設けられた係合孔４１に係合体４２を係合させる構成や例えば永電磁石を用いて磁力によりシャッタ板２０を地面Ｇに固定する構成などのように、シャッタ板２０を地面Ｇに固定することができる構成であれば、如何なる構成を用いてもよい。
【００３２】
なお、本実施形態においては、スライド式シャッタ２として上述のような巻上げ戸を例示するが、本発明の「スライド式シャッタ」はこれに限定されるものではなく、シャッタ板２０を天井部で水平に収納する所謂オーバーヘッドドアやシャッタ板が建物開口部３の上部の壁面に折れ曲がらずに鉛直に収納されるもの等のように、建物開口部３において両側縁に設けられたガイドレール２１に案内されて、建物開口部３を開閉することができる種々の構成を用いることができる。
【００３３】
第１の本実施形態のスライド式シャッタの補強構造１は、可撓性を有する帯状のベルト体５と、このベルト体５を巻き取り及び引き出し可能な巻き取り部６ａとして機能するスライド式シャッタ２のシャフト２２とにより構成されている。
【００３４】
ベルト体５は、例えば全芳香族ポリアミドなどの伸縮性の低い樹脂製の糸素材を織り込んで、５０ｍｍ程の幅の帯状に形成している。このベルト体５は少なくともシャフト２２に巻き取られる程度の可撓性を有している。なお、ベルト体５の材料としては上述のものに限定されるものではなく、他の樹脂や金属その他の材料を織り込んで帯状に形成したものであってもよい。また、ベルト体５の形状は、帯状とすることで、シャッタ板２０に接触する面積を増やして、シャッタ板２０を補強しやすくしているが、これに限定されるものではなく、例えばステンレス等のワイヤロープなどのように素線を撚って形成される綱状のものであってもよい。ベルト体５は、本実施形態においては、図３に示すように、シャッタ板２０の屋内側及び屋外側にそれぞれ設けられている。
【００３５】
ベルト体５の下端は、図３及び図４に示すように、シャッタ板２０の下端に設けられた座板２５の中央に固定されている。すなわち、図４に示すように、ベルト体５及び座板２５の立ち上がり部の間にスペーサ２６を設け、これらベルト体５、スペーサ２６、及び座板２５の立ち上がり部２５ａを貫通するようにボルト２７を挿入し、ナット２８で固定することによって、ベルト体５とシャッタ板２０の下端とを固定している。なお、ベルト体５とシャッタ板２０の下端との固定方法はこれに限定されるものではなく、シャッタ板２０が風に煽られてベルト体５に衝撃が加わった場合に外れることがない固定方法であれば、如何なる固定方法であってもよい。
【００３６】
ベルト体５の上端は、図３及び図６に示すように、シャフト２２の長手方向の中央に固定されている。具体的には、シャッタ板２０の下端から鉛直方向上側に延びるベルト体５は、シャッタ板２０とともに収納ケース２３の下部のマグサ３１に設けられたローラ３２によって方向転換し、シャフト２２に固定されている。このようにベルト体５は、下端が座板２５の中央に固定され、上端がシャフト２２の長手方向の中央に固定されることで、スライド式シャッタ２を閉鎖した場合に、スライド式シャッタ２の幅方向の中央にシャッタ板２０に沿って鉛直方向に張り渡されることとなる。
【００３７】
スライド式シャッタ２を開放する際には、まず、図２（Ｂ）に示すように、シャッタ板２０を地面Ｇに固定している固定部４の操作レバー４０を回転操作して、図２（Ａ）に示すように、固定部４の係合体４２を地面Ｇの係合孔４１から外して、固定を解除する。そして、図示しないコントローラを操作して、開閉モータ２４を正回転させ、開閉モータ２４のトルクを駆動ベルト３０によりシャフト２２に伝達する。そしてシャフト２２が正回転することによって、図５及び図６（Ｂ）に示すように、シャッタ板２０がシャフト２２に巻き取られるとともに、シャッタ板２０の屋内側及び屋外側にそれぞれ設けられているベルト体５もシャッタ板２０を挟むようにシャフト２２に巻き取られる。そして、シャッタ板２０を完全に引き上げると、図７に示すように、ベルト体５もシャフト２２に巻き上げられて、収納ケース２３に収まるので、建物開口部３の出入りに邪魔になることがない。
【００３８】
一方、スライド式シャッタ２を閉鎖する際には、図示しないコントローラを操作して、開閉モータ２４を逆回転させることにより、駆動ベルト３０を介して、シャフト２２を逆回転させる。これによってシャッタ板２０及びベルト体５はシャフト２２から引き出され、このシャッタ板２０の自重によって、シャッタ板２０がガイドレール２１に沿って下方にスライドし、建物開口部３を閉鎖する。このとき、シャッタ板２０の下端にベルト体５の下端が固定されているので、シャッタ板２０の下方へのスライドに従ってベルト体５も下方に引き出され、シャッタ板２０に沿ってシャッタ板２０の屋内側及び屋外側にベルト体５が当接又は近接して鉛直方向に張り渡される。
【００３９】
このように、本実施形態のスライド式シャッタの補強構造１によると、ベルト体５は一端がシャッタ板２０の下端に固定されており、他端が巻き取り部６ａとして機能するシャフト２２によりスライド式シャッタ２上部に固定されて、スライド式シャッタ２の幅方向の中央にシャッタ板２０に沿って鉛直方向に張り渡されるので、スライド式シャッタ２に風などが当ってシャッタ板２０が撓んでも、ベルト体５によってシャッタ板２０がガイドレール２１から外れる事を抑制することができる。このように可撓性を有するベルト体５を用いることで、スライド式シャッタの補強構造１の重量を低減させることができ、スライド式シャッタの補強構造１の設置を簡易化することができる。
【００４０】
また、スライド式シャッタ２に元から備わっているシャフト２２に巻き取り部６ａとしての機能を兼ねさせているので、スライド式シャッタ２に、別途、巻き取り部を設ける場合に比べて、部品点数を減らすことができ、スライド式シャッタの補強構造１を低コスト化することができる。
【００４１】
なお、本実施形態においては、シャッタ板２０の屋内側及び屋外側にベルト体５をそれぞれ１本づつ設ける構成であるが、ベルト体５は、シャッタ板２０の屋内側及び屋外側のいずれか一方又は双方にそれぞれ複数設けられるものであってもよい。例えば、図８に示すように、ベルト体５をスライド式シャッタ２のシャッタ板２０の屋内側と屋外側にそれぞれ２本づつスライド式シャッタ２の幅方向に距離を開けて設けることで、１本のベルト体５に加わる負荷を減らして、より確実にシャッタ板２０を補強することができる。
【００４２】
〔第２の実施形態〕
次に、本発明のスライド式シャッタの補強構造１の第２の実施形態について、図９から図１３を参照しつつ説明する。なお、第１の実施形態に係るスライド式シャッタの補強構造１と同様の構成は同一の符号を付して説明を省略する。第２の実施形態のスライド式シャッタの補強構造１は、可撓性を有する帯状のベルト体５と、このベルト体５を巻き取り及び引き出し可能な巻き取り部６ｂとにより構成されている。本実施形態における巻き取り部６ｂは、スライド式シャッタ２のシャフト２２とは別構成として設けられている。
【００４３】
ベルト体５は、図９及び図１０に示すように、第１の実施形態のベルト体５と同様の材質及び形状であり、下端がシャッタ板２０の下端の座板２５に固定されるとともに、上端が収納ケース２３内で巻き取り部６ｂに固定されている。具体的には、シャッタ板２０の下端から鉛直方向上側に延びるベルト体５は、マグサ３１に設けられたローラ３２によって方向を換えて、巻き取り部６ｂに固定されている。
【００４４】
巻き取り部６ｂは、ベルト体５毎にそれぞれ収納ケース２３内に設けられ、ベルト体５を巻き取り可能な円筒又は円柱形状である。本実施形態においては、ベルト体５は屋内側及び屋外側にそれぞれ１本づつ設けられているので、巻き取り部６ｂも収納ケース２３内に２つ設けられている。巻き取り部６ｂは、図１１に示すように、ベルト体５を巻き取るように自転可能な軸部６０と、軸部６０の内部に設けられる弦巻バネであって、軸部６０をベルト体５の巻き取り方向に付勢する付勢部６１と、図１２及び図１３に示すように、ベルト体５の引き出し方向への移動を規制する規制部６２と、備えている。
【００４５】
スライド式シャッタ２を閉鎖した場合には、開閉モータ２４の正回転により駆動ベルト３０を介してシャフト２２が正回転し、シャッタ板２０が自重で引き降ろされるとともに、ベルト体５が巻き取り部６ｂから引き出されてシャッタ板２０に近接又は当接する状態で鉛直方向に張り渡される。このとき、図１１（Ｂ）に示すように、付勢部６１は軸部６０をベルト体５の巻き取り方向に付勢するが、ベルト体５はシャッタ板２０の下端に固定されているためベルト体５が巻き取られることはない。なお、このとき付勢部６１によって軸部６０がベルト体５の巻き取り方向に付勢されているので、スライド式シャッタ２を閉鎖したときに、ベルト体５は弛むことなく、スライド式シャッタ２のシャッタ板２０に沿って鉛直方向に張り渡されることとなる。
【００４６】
一方、スライド式シャッタ２を開放した場合には、開閉モータ２４により駆動ベルト３０を介してシャフト２２が逆回転し、シャッタ板２０が引き上げられるとともに、ベルト体５の下端が引き上げられるので、図１１（Ａ）に示すように、付勢部６１によって軸部６０が巻き取り方向に回転し、ベルト体５が軸部６０に巻き取られる。
【００４７】
規制部６２は、図１２及び図１３に示すように、軸部６０と一体的に回転可能に形成されており、外周に複数の小歯片６２ｃを有し、当該小歯片６２ｃを内部に収納することができる歯車部６２ａ、及び歯車部６２ａの小歯片６２ｃが広がった状態で歯車部６２ａの回転を止める歯止部６２ｂとにより形成されている。歯止部６２ｂは歯車部６２ａの上側に設けられており、歯車部６２ａの上部の小歯片６２ｃは、無回転及び低速回転のときには、図１２に示すように、自重で歯車部６２ａの内部に収納されており、歯車部６２ａが高速で回転したときには、図１３に示すように遠心力で小歯片６２ｃが広がり、歯止部６２ｂに当接して歯車部６２ａの回転を規制する。
【００４８】
スライド式シャッタ２を閉鎖する場合には、シャッタ板２０及びベルト体５は所定速度より低い速度で下方に引き出されるので、巻き取り部６ｂは、歯車部６２ａの上部の小歯片６２ｃが歯車部６２ａの内部に収納された状態であるので回転を規制されることが無く、シャッタ板２０の下降に伴ってベルト体５も下方に移動できる。一方、スライド式シャッタ２を閉じた状態のときに、風などでシャッタ板２０が撓み、ベルト体５に衝撃が加わっるような場合には、所定速度以上の速度でベルト体５が引き出されることになるので、歯車部６２ａが高速で回転し、図１３に示すように遠心力で小歯片６２ｃが広がり、歯止部６２ｂに当接して歯車部６２ａの回転を規制し、ベルト体５が巻き取り部６ｂから引き出されることを止める。したがって、風などでシャッタ板２０が撓んだ場合には、シャッタ板２０にベルト体５が当接し、シャッタ板２０がこれ以上撓むことを抑制して、シャッタ板２０がガイドレール２１から外れることを防ぐことができる。
【００４９】
したがって、風などでシャッタ板２０が撓んだ場合には、シャッタ板２０にベルト体５が当接し、シャッタ板２０がこれ以上撓むことを抑制して、シャッタ板２０がガイドレール２１から外れることを防ぐことができる。
【００５０】
なお、本発明の実施の形態は上述の各形態に限ることなく、本発明の思想の範囲を逸脱しない範囲で適宜変更することができることは云うまでもない。
【産業上の利用可能性】
【００５１】
本発明に係るスライド式シャッタの補強構造１は、スライド式シャッタ２を補強する構造として好適に用いることができる。
【符号の説明】
【００５２】
１      スライド式シャッタの補強構造
２      スライド式シャッタ
３      建物開口部
４      固定部
５      ベルト体
６ａ，６ｂ  巻き取り部
２０    シャッタ板
２１    ガイドレール
６０    軸部
６１    付勢部
６２    規制部
【図１】
2014190138.tif 000003
【図２】
2014190138.tif 000004
【図３】
2014190138.tif 000005
【図４】
2014190138.tif 000006
【図５】
2014190138.tif 000007
【図６】
2014190138.tif 000008
【図７】
2014190138.tif 000009
【図８】
2014190138.tif 000010
【図９】
2014190138.tif 000011
【図１０】
2014190138.tif 000012
【図１１】
2014190138.tif 000013
【図１２】
2014190138.tif 000014
【図１３】
2014190138.tif 000015
【図１４】
2014190138.tif 000016